(57)【要約】【課題】便器本体に脚が固定されていることの判別【解決手段】  このポータブルトイレ１０の便器本体１００は、貫通孔１３２が形成されたボス１２０を有している。脚５０１〜５０４は、ボス１２０に装着された軸部５１１と、軸部５１１に設けられた係合部５２０とを有している。脚固定部材６２０は、貫通孔１３２を通じてボス１２０の内方に差し込まれて係合部５２０に係合する部材である。少なくとも係合部５２０に係合していない状態では、脚固定部材６２０は、ボス１２０の外方に突出している。固定確認部材６４０の干渉部６４２は、便器本体１００に取り付けられた際に、脚固定部材６２０が軸部５１１の係合部５２０に係合した状態では脚固定部材６２０に干渉しないが、脚固定部材６２０が軸部５１１の係合部５２０に係合していない状態では脚固定部材６２０に干渉する。【選択図】図１２
2016123607.tif 000002
【特許請求の範囲】
【請求項１】
便器本体と、
脚と、
脚固定部材と、
固定確認部材と
を備え、
前記便器本体は、
貫通孔が形成された複数のボスと、
前記固定確認部材を予め定められた位置に取り付ける被取付部と
を有し、
前記脚は、
前記ボスに装着された軸部と、
前記軸部に設けられた係合部と
を有し、
前記脚固定部材は、
前記貫通孔を通じて前記ボスの内方に差し込まれて前記係合部に係合する部材であり、
少なくとも前記係合部に係合していない状態では、前記ボスの外方に突出しており、
前記固定確認部材は、
前記便器本体の被取付部に取り付けられる取付部と、
前記便器本体に取り付けられた際に、前記脚固定部材が前記軸部の前記係合部に係合した状態では前記脚固定部材に干渉しないが、前記脚固定部材が前記軸部の前記係合部に係合していない状態では前記脚固定部材に干渉する、干渉部と
を有する、
ポータブルトイレ。
【請求項２】
前記係合部は、
前記軸部の外周面において、軸方向に間隔を空けて設けられた複数の突部と、
前記軸部の外周面において、軸方向に沿って形成された溝と
を有し、
前記ボスは、
前記軸部の複数の突部を周方向に装着したり、離脱したりでき、かつ、前記軸部の複数の突部が装着された状態では前記軸部の複数の突部を軸方向に保持する保持部
を有し、
前記貫通孔は、前記軸部の複数の突部が前記保持部に装着された状態において、前記軸部の溝が対向する部位に形成されており、
ここで、前記脚固定部材が前記軸部の前記係合部に係合した状態では、前記軸部の複数の突部が前記保持部に装着され、かつ、前記脚固定部材が前記貫通孔を通じて前記軸部の前記溝に差し込まれている、
請求項１に記載されたポータブルトイレ。
【請求項３】
前記固定確認部材は、
前記ボスの外側に取り付けられて前記脚固定部材を覆うカバーである、請求項１または２に記載されたポータブルトイレ。
【請求項４】
前記ボスは、前記便器本体の前記底部の前後左右の隅部に設けられており、
前記固定確認部材は、前記ボスの外側に取り付けられた状態において、前記便器本体の前記側面部と一連に連なった側面を備えている、請求項３に記載されたポータブルトイレ。
【発明の詳細な説明】
【技術分野】
【０００１】
本発明はポータブルトイレに関する。
【背景技術】
【０００２】
ポータブルトイレは、使用者の体格に応じて、高さを変える構造を有している場合があり、種々の構造が提案されている。例えば、特開２００１−３４６７１８号公報には、外側面に凹溝が形成された脚を、本体の底板に設けられた円孔に設けられた突起に噛み合わせた形態が開示されている。また、ポータブルトイレの高さを変える構造として、特開２０１０−２４０１６５号公報、特開２０１２−２３９６４１号公報などに、種々の構造が提案されている。
【先行技術文献】
【特許文献】
【０００３】
【特許文献１】特開２００１−３４６７１８号公報
【特許文献２】特開２０１０−２４０１６５号公報
【特許文献３】特開２０１２−２３９６４１号公報
【発明の概要】
【発明が解決しようとする課題】
【０００４】
ところで、本発明者は、便器本体の底部に脚を取り付けたポータブルトイレの新規構造を検討している。ここで、ポータブルトイレの高さを変える構造として、便器本体の底部から延びる脚の長さが調整できることが好ましい。脚の長さを調整する構造は、脚の長さを調整し、便器本体に脚を固定する。本発明者は、便器本体に脚が固定されていないことに使用者が気づかずに使用してしまうことをできる限り防止したいと考えている。
【課題を解決するための手段】
【０００５】
ここで提案されるポータブルトイレは、便器本体と、脚と、脚固定部材と、固定確認部材とを備えている。ここで、便器本体は、貫通孔が形成された複数のボスと、固定確認部材を予め定められた位置に取り付ける被取付部とを有している。脚は、ボスに装着された軸部と、軸部に設けられた係合部とを有している。脚固定部材は、貫通孔を通じてボスの内方に差し込まれて係合部に係合される部材であり、少なくとも係合部に係合していない状態では、ボスの外方に突出する。固定確認部材は、取付部と、干渉部とを有している。取付部は、便器本体の被取付部に取り付けられる部位である。干渉部は、便器本体に取り付けられた際に、脚固定部材が軸部の係合部に係合した状態では脚固定部材に干渉しないが、脚固定部材が軸部の係合部に係合していない状態では脚固定部材に干渉する部位である。
【０００６】
このポータブルトイレでは、脚固定部材が軸部の係合部に係合していない場合に干渉部が脚固定部材に干渉し、固定確認部材が便器本体に取り付けられない。このため、脚固定部材が軸部の係合部に係合していることが、使用者において判別されやすい。
【０００７】
例えば、係合部は、軸部の外周面において、軸方向に間隔を空けて設けられた複数の突部と、軸部の軸方向に沿って形成された溝とを有していてもよい。この場合、ボスは、保持部を有しているとよい。ここで保持部は、軸部の複数の突部を周方向に装着したり、離脱したりでき、かつ、軸部の複数の突部が装着された状態では軸部の複数の突部を軸方向に保持する部位である。また、貫通孔は、軸部の複数の突部が保持部に装着された状態において、軸部の溝が対向する部位に形成されているとよい。ここで、脚固定部材が軸部の係合部に係合した状態では、軸部の複数の突部が保持部に装着され、かつ、脚固定部材が、ボスの貫通孔を通じて軸部の溝に差し込まれているとよい。この係合構造では、軸部の軸方向の固定と、周方向の固定との両方を実現できるとともに、軸部の外周面において、軸方向に間隔を空けて設けられた複数の突部のうち、何れの突部を保持部に保持させるかによって、ボスから突出する軸部の長さを調整できる。
【０００８】
固定確認部材は、ボスの外側に取り付けられて脚固定部材を覆うカバーであってもよい。
【０００９】
例えば、ボスは、便器本体の底部の前後左右の隅部に設けられており、固定確認部材は、ボスの外側に取り付けられた状態において、便器本体の側面部と一連に連なった側面を備えているとよい。この場合、固定確認部材が適切に取り付けられていない場合には、固定確認部材が便器本体の側面からずれる。このため、固定確認部材が適切に取り付けられていることが判別しやすい。
【図面の簡単な説明】
【００１０】
【図１】図１は、ポータブルトイレ１０の斜視図である。
【図２】図２は、ポータブルトイレ１０の斜視図である。
【図３】図３は、ポータブルトイレ１０の斜視図である。
【図４】図４は、便器本体１００の上面部１０２を示すポータブルトイレ１０の平面図である。
【図５】図５は、便器本体１００に脚５０１が取り付けられた部位を示している。
【図６】図６は、便器本体１００に脚５０１が取り付けられた部位を示している。
【図７】図７は、脚５０１を示す側面図である。
【図８】図８は、便器本体１００の内部から見たボス１２０の平面図である。
【図９】図９は、図８のＩＸ−ＩＸ断面矢視図である。
【図１０】図１０は、便器本体１００の内部から見たボス１２０の平面図である。
【図１１】図１１は、脚固定部材６２０が、軸部５１１の溝５１３に差し込まれた状態を示す縦断側面図である。
【図１２】図１２は、脚固定部材６２０が軸部５１１の溝５１３から引き抜かれた状態を示す縦断側面図である。
【発明を実施するための形態】
【００１１】
以下、ここで提案されるポータブルトイレを図面に基づいて説明する。以下の説明において、ポータブルトイレに関し、前、後、左、右というときは、それぞれ便座に腰掛けた使用者から見た方向を基準にしている。図面には、前（Ｆ）、後（Ｂｋ）、左（Ｌ）、右（Ｒ）に対応させて、それぞれ符号Ｆ、Ｂｋ、Ｌ、Ｒが適宜に付されている。また、各図において同じ作用を奏する部材や部位には、同じ符号を付し、適宜に重複する説明を省略している。
【００１２】
《ポータブルトイレ１０》
図１から図３はそれぞれポータブルトイレ１０の斜視図である。ここで、図１は、蓋２０が開いた状態（蓋２０が上げられた状態）を示している。図２は、図１の状態から便座３０を上げ、バケツ４０の蓋４２（バケツ蓋）と、左側の肘掛３００とを取り外した状態を示している。図３は、図２の状態からバケツ４０を取り外した状態を示すポータブルトイレ１０の斜視図である。図４は、便器本体１００の上面部１０２を示すポータブルトイレ１０の平面図であり、蓋２０、便座３０、バケツ４０、トレイ５０、背もたれ２５０および左右の肘掛３００、４００が取り外された状態が示されている。
【００１３】
ポータブルトイレ１０は、図１〜図３に示すように蓋２０と、便座３０と、バケツ４０と、トレイ５０と、便器本体１００と、背もたれ２５０と、肘掛３００、４００と、脚５０１〜５０４とを備えている。
【００１４】
《蓋２０》
蓋２０は、ポータブルトイレ１０の便座３０に被せられる部材である。この実施形態では、蓋２０は、図１に示すように、矩形の部材であり、後側の縁にヒンジ２１が取り付けられている。蓋２０は、ヒンジ２１を軸にして回動する。蓋２０は、前後方向の中間部に蝶番２２が取り付けられている。蓋２０は、蝶番２２によって前後方向の中間部で折り曲げることができる。折り曲げられた蓋２０は、背もたれ２５０に設けられた開口２５１を通すことができる。背もたれ２５０に設けられた開口２５１に蓋２０を通すことによって、蓋２０の姿勢は、背もたれ２５０の前で便座３０の上に配置された姿勢（図示省略）と、背もたれ２５０の後ろに引き上げた姿勢（図１に示す状態）とに適宜に変えられる。
【００１５】
《便座３０》
便座３０は、図１に示すように、便器本体１００の上面の中央部に配置されている。かかる便座３０は、ヒンジ３１を介して便器本体１００（この実施形態では、便器本体１００の上面に配置されたトレイ（図示省略））に取り付けられている。便座３０は、図１に示すように、便器本体１００の上面に配置された姿勢と、図２に示すように、便器本体１００の上面から引き上げられた姿勢とで適宜に変えられる。この実施形態では、便座３０は、使用者がお尻を受ける座面を有する。便座３０の中央には開口３２が形成されている。
【００１６】
《バケツ４０》
バケツ４０は、使用者の排便を受けるバケツであり、「汚物受け」と称されうる。この実施形態では、バケツ４０は、図２に示すように、上部が開口した底が深い有底の容器である。図３および図４に示すように、便器本体１００は、当該バケツ４０（図２参照）を収容する窪んだ収容部１０１を有している。収容部１０１は、バケツ４０は予め定められた向きで収容部１０１に収められる。図１に示すように、バケツ４０の開口には蓋４２（バケツ蓋）が装着されており、ポータブルトイレ１０を使用する時は、かかる蓋４２を外して使用する。また、ポータブルトイレ１０を使用しない時は、図１に示すように、バケツ４０に蓋４２をしておき、臭気が漏れるのを防止するとよい。また、この実施形態では、バケツ４０の上縁４３は、図２に示すように、周方向に連続して外側に屈曲している。
【００１７】
《トレイ５０》
この実施形態では、図３に示すように、便器本体１００の収容部１０１を囲むように便器本体１００の上部にトレイ５０が置かれている。トレイ５０は、便器本体１００の上面に置かれている。トレイ５０の上には便座３０が配置される。トレイ５０の中央部には、収容部１０１の上部開口に合わせた形状の開口５１が形成されている。トレイ５０の開口５１の縁およびトレイ５０の外縁には、上方に向けて連続して立ち上がった壁５２、５３がそれぞれ設けられている。トレイ５０の上に落ちた汚水は、かかる壁５２、５３によってトレイ５０の上面に受けられる。この実施形態では、トレイ５０には、便座３０のヒンジ３１を取り付ける基部５４が設けられている。
【００１８】
《便器本体１００》
次に、便器本体１００を説明する。この実施形態では、便器本体１００は、図１に示すように、収容部１０１と、上面部１０２と、外郭部１０３と、底部１０４とを有している。
【００１９】
《収容部１０１》
収容部１０１は、図３に示すように、バケツ４０が収められた窪んだ部位である。この実施形態では、便器本体１００の上面部１０２には、トレイ５０が配置されている。トレイ５０の中央部には、収容部１０１に通じる開口５１が設けられている。図２に示すように、トレイ５０の開口５１の周縁に連続して立ち上がった壁５２の上端にバケツ４０の上縁４３が引っ掛けられ、トレイ５０の開口５１（図２参照）を通じて便器本体１００の収容部１０１にバケツ４０が収められている。
【００２０】
《上面部１０２》
上面部１０２は、図２および図３に示すように、収容部１０１の上部周辺に設けられている。上面部１０２の上には、図１に示すように、トレイ５０が配置され、その上に便座３０が配置されている。
【００２１】
《外郭部１０３、底部１０４》
外郭部１０３は、図３に示すように、上面部１０２の周縁部から下方に延びており、収容部１０１の外側面を囲っている。底部１０４は、外郭部１０３の下端から連続し、便器本体１００の底を形成している。
【００２２】
このポータブルトイレ１０では、バケツ４０を収容している収容部１０１は、図１に示すように、外郭部１０３に囲われている。このため、バケツ４０を収容している収容部１０１が外観上見えにくい。また、便器本体１００の、上面部１０２と、外郭部１０３と、底部１０４とは、一連に連なっている。便器本体１００を構成する部材の縁が下方に張り出していない。このため、ポータブルトイレ１０の前面では、使用者および介助者の足が、ポータブルトイレ１０の下端に引っ掛かりにくい。
【００２３】
さらに、便器本体１００の前面では、外郭部１０３が、上面部１０２の周縁から底部１０４へ向かうにつれて後方に傾斜している。換言すれば、外郭部１０３の下側の側面部１１３は、平面視において、便器本体１００の上面部１０２の内側に延びている。特に、便器本体１００の前面では、外郭部１０３の下側の側面部１１３は、便器本体１００の上面部１０２の内側に入り込んでいる。このため、ポータブルトイレ１０に座った使用者が体の近くに足を引き寄せるための空間Ｓ１が、ポータブルトイレ１０の前面下部（つまり、使用者の足元）に確保されている。
【００２４】
ポータブルトイレ１０の前面下部にこのような空間Ｓ１があると、使用者は、ポータブルトイレ１０に座った状態で、自らの重心の近くに足を引き寄せることができ、ポータブルトイレ１０から立ち上がりやすくなる。また、介助者にとっても、ポータブルトイレ１０の前面に足を踏み入れる空間Ｓ１があるので、ベッドとポータブルトイレ１０との間で使用者が乗り移るのを介助するのが容易になる。また、この実施形態では、便器本体１００の外郭部１０３は、ポータブルトイレ１０の前面と左右の両側面とが連続した面で形成されており、上面部１０２の周縁から底部１０４へ向かうにつれて少し内側に傾斜している。かかる外郭形状によって、使用者がベッドに乗り移る際に、便器本体１００が邪魔になりにくい。
【００２５】
《上側部材２１０と下側部材２２０》
この実施形態では、ポータブルトイレ１０は、樹脂製（樹脂成形品）である。便器本体１００は、上側部材２１０と下側部材２２０とを備えている。上側部材２１０と下側部材２２０とは、上下に組み合わされている。便器本体１００は、上側部材２１０と下側部材２２０とを上下に組み合わせる構造によって、樹脂成形が容易になる。換言すれば、便器本体１００を上下に組み合わされる半割構造とすることによって、金型構造が簡素化され、成形作業が容易になる。また、便器本体１００には高い剛性が確保されている。また、便器本体１００を、上側部材２１０と下側部材２２０とで構成することによって、便器本体１００はより複雑な形状を実現できる。この実施形態では、便器本体１００の外郭部１０３では、上下の中間よりも上側に、上側部材２１０と下側部材２２０との境界ＢＬが設定されている。
【００２６】
便器本体１００の上面部１０２には、図４に示すように、肘掛取付部２１１、２１２と、背もたれ取付部２１３、２１４とが設けられている。また、上側部材２１０の周縁には、図４に示すように、上側部材２１０と下側部材２２０とを組み付けるための複数のねじ穴２１０ｃが形成されている。また、上側部材２１０の後部の脱臭装置取付部２１５の周縁部には、脱臭装置７５０を取り付けるための取付穴２１０ｄが形成されている。肘掛取付部２１１、２１２は、図４に示すように、前後に延びた長手の窪み２２１、２２２を有している。当該窪み２２１、２２２には、縦穴（２２３、２２５）、（２２４、２２６）と、係合溝２２７、２２８と、鍵穴２３１、２３２が形成されている。
【００２７】
《肘掛３００、４００》
この実施形態では、左右の肘掛３００、４００は、凡そ同様の構造を有している。肘掛３００、４００は、図１に示すように、肘掛ベース３０１、４０１と、肘掛本体３０２、４０２と、高さ調節機構３０３、４０３とを備えている。肘掛ベース３０１、４０１は、前後方向に沿って延びた長手のプレートであり、便器本体１００の左右にそれぞれ装着され、固定ピン３５０、４５０によって固定されている。肘掛本体３０２、４０２は、肘掛ベース３０１、４０１に設けられた前後の２本の支柱（３１２、３１３）、（４１２、４１３）で支持されている。図１に示す例では、右側の肘掛ベース４０１の前側の支柱４１２に、トイレットペーパーホルダ６０が取り付けられている。高さ調節機構３０３、４０３は、２本の支柱（３１２、３１３）、（４１２、４１３）の長さを調節する機構である。この実施形態では、高さ調節機構３０３、４０３は、２本の支柱（３１２、３１３）、（４１２、４１３）の中間部に架け渡された中空軸３１４、４１４の内部に設けられている。中空軸３１４、４１４の左右両面に、高さ調節機構の操作部（３８５、３８６）、（４８５、４８６）が設けられている。
【００２８】
左右の肘掛３００、４００は、使用者や介助者のニーズに応じて適宜に取り外すことができる。また、ポータブルトイレ１０は、便器本体１００から肘掛３００、４００を取り外した際に、肘掛３００、４００が取り付けられる部位に被せることができるカバーが付属されているとよい。かかるカバーは、図示は省略するが、肘掛３００、４００が取り外されたる部位に取り付けられ、便器本体１００の上面を平坦にする形状であるとよい。
【００２９】
また、肘掛ベース３０１（４０１）の後側の支柱３１３（４１３）の外周面に、後方に突出した係合片を備えている。背もたれ２５０に形成された係合溝２５６、２５７（図１参照）にそれぞれ係合している。
【００３０】
《背もたれ２５０》
次に、ポータブルトイレ１０の背もたれ２５０を説明する。この実施形態では、背もたれ２５０は、図１に示すように、左右の柱部２５２、２５３と、背もたれ部２５４と、クッション２５５とを備えている。柱部２５２、２５３は、便器本体１００の左右両側から上方に立ち上がっている。背もたれ部２５４は、柱部２５２、２５３の上端に架け渡されている。クッション２５５は、背もたれ部２５４の前面に取り付けられている。また、左右の柱部２５２、２５３と背もたれ部２５４とで囲まれた領域は、蓋２０を前後に通すための開口２５１が設けられている。
【００３１】
《下側部材２２０》
次に下側部材２２０を説明する。下側部材２２０には、便器本体１００のうち、当該境界ＢＬよりも下側の側面部１１３と、底部１０４とが含まれている。下側部材２２０は、全体として有底の略矩形の箱形状である。この実施形態では、下側部材２２０の底部１０４の中央部分は、開口１０４ａが形成されている。上側部材２１０の下縁と下側部材２２０の上縁とが内外に嵌まり合っており、上側部材２１０の側面部１１２と下側部材２２０の側面部１１３とが一連に連なっている。
【００３２】
《ボス１２０》
便器本体１００は、複数のボス１２０を備えている。この実施形態では、図１〜図４に示すように、便器本体１００の底部１０４の前後左右の四隅に脚５０１〜５０４が取り付けられている。図５と図６は、便器本体１００に脚５０１が取り付けられた部位を示している。ポータブルトイレ１０は、図５および図６に示すように、脚固定部材６２０と、固定確認部材６４０とを備えている。図５は、便器本体１００の底部１０４に脚５０１が取り付けられた部位の外側に固定確認部材６４０が取り付けられた状態を示している。図６は、便器本体１００の底部１０４に脚５０１が取り付けられた部位の外側に取り付けられた固定確認部材６４０が便器本体１００の底部１０４に取り外された状態を示している。便器本体１００に脚５０１〜５０４が取り付けられる部位には、それぞれボス１２０（図６参照）が設けられている。
【００３３】
《脚５０１〜５０４》
図７は、脚５０１の側面図である。便器本体１００に取り付けられる脚５０１〜５０４は、便器本体１００の前側に取り付けられる脚５０１、５０３と、後側に取り付けられる脚５０２、５０４とで、脚の形状が異なる。この実施形態では、後側に取り付けられる脚５０２、５０４には、後部にキャスター５０２ａ、５０４ａが取り付けられている。脚５０１〜５０４は、その余において同様の構造を有している。脚５０１〜５０４は、図７に示す脚５０１のように、ボス１２０に装着される軸部５１１と、係合部５２０とを備えている。ここで、係合部５２０は、軸部５１１に設けられた複数の突部５１２と、溝５１３とを備えている。
【００３４】
《突部５１２》
複数の突部５１２は、軸部５１１の外周面において、軸方向に間隔を空けて設けられている。この実施形態では、突部５１２は、軸部５１１の外周面において、周方向の予め定められた第１範囲において周方向に延びた突条である。複数の突部５１２（突条）が、全体として軸方向に間隔を空けて設けられており、かかる複数の突部５１２は、全体として櫛歯を構成している。
【００３５】
《溝５１３》
溝５１３は、軸部５１１の外周面において、軸部５１１の軸方向に沿って形成されている。この実施形態では、溝５１３は、上述のように突部５１２が設けられた周方向の第１範囲を除き、軸部５１１の外周面に軸方向に沿って形成されている。また、溝５１３の上端には壁５１４が設けられており、下端には壁５１５が設けられている。また、軸部５１１の上縁には、外径方向に突出した出っ張り５１６があり、櫛歯を構成する複数の突部５１２の下側には、外径方向に突出した突起５１７がある。突起５１７は、軸部５１１がボス１２０に装着された状態において、ボス１２０の下端の内径よりも外方に突出している。
【００３６】
《ボス１２０の構造》
図８は、便器本体１００の内部から見たボス１２０の平面図である。ここで、図８中の２点鎖線は、ボス１２０に装着された軸部５１１を示している。図９は、図８のＩＸ−ＩＸ断面矢視図である。図１０は、図８と同様に、便器本体１００の内部から見たボス１２０の平面図である。図１０中の２点鎖線は、ボス１２０から軸部５１１を取り外す際の軸部５１１の位置を示している。この実施形態では、ボス１２０は、図８に示すように、外筒部１２１と、下縁部１２２と、内筒部１２３と、保持部１３１と、貫通孔１３２とを備えている。
【００３７】
外筒部１２１は、便器本体１００の底部１０４から下方に突出した筒状の部位である。外筒部１２１の周りには、底部１０４から立ち上がり、かつ、外筒部１２１の外側面から延びた複数のリブ１２５が設けられている。下縁部１２２は、外筒部１２１の下端から外筒部１２１の内径側に延びている。内筒部１２３は、外筒部１２１の内側において、下縁部１２２の内側の縁から上方に突出した筒状の部位である。また、外筒部１２１と内筒部１２３との間にも、径方向に延びた複数のリブ１２６が設けられている。この構造によって、ボス１２０に所要の強度が確保されている。
【００３８】
また、この実施形態では、固定確認部材６４０は、かかるボス１２０の周りに取り付けられる。便器本体１００の底部１０４には、ボス１２０の周りに固定確認部材６４０を取り付けるための被取付部１２７が設けられている。被取付部１２７は、この実施形態では、固定確認部材６４０に設けられる爪６４５が挿通される挿通される孔１２７ａと、爪６４５が係止される係止片１２７ｂとを備えている。被取付部１２７は、ボス１２０が設けられた便器本体１００の隅部において、ボス１２０の周りの２箇所に設けられている。一方の被取付部１２７は、便器本体１００の前後の幅方向に延びており、他方の被取付部１２７は、便器本体１００の左右の幅方向に延びている。
【００３９】
保持部１３１は、軸部５１１の複数の突部５１２を周方向に装着したり、離脱したりでき、かつ、軸部５１１の複数の突部５１２が装着された状態では軸部５１１の複数の突部５１２を軸方向に保持する部位である。この実施形態では、保持部１３１として、ボス１２０の内筒部１２３の内周面に、周方向に延びた一本の突条が設けられている。保持部１３１としての突条の軸方向の幅は、軸部５１１の複数の突部５１２の間隙に合わせられている。
【００４０】
貫通孔１３２は、図８に示すように、軸部５１１の複数の突部５１２が保持部１３１に装着された状態において、軸部５１１の溝５１３が対向する部位に形成されている。貫通孔１３２は、図８に示すように、脚固定部材６２０が挿通される孔である。この実施形態では、貫通孔１３２は、ボス１２０の外筒部１２１と内筒部１２３とをそれぞれ径方向に貫通している。内筒部１２３の貫通孔１３２ａと外筒部１２１の貫通孔１３２ｂとは、それぞれ脚固定部材６２０に応じた形状であるとよい。この実施形態では、内筒部１２３の貫通孔１３２ａは、外筒部１２１の貫通孔１３２ｂよりも軸方向に幅が広い。
【００４１】
また、この実施形態では、軸部５１１の複数の突部５１２が周方向に当接し、軸部５１１の回動範囲を規定するストッパ１３４が、ボス１２０の内筒部１２３の内周面に設けられている。ここでは、ボス１２０の内筒部１２３の内周面には、上述したように保持部１３１としての突条が、周方向に延びている。かかる保持部１３１の周方向の一端には、軸部５１１の複数の突部５１２が軸方向に挿通可能な間隙１３３が設けられている。当該間隙１３３は、軸部５１１の複数の突部５１２が周方向に延びる長さに応じた範囲で形成されている。ストッパ１３４は、当該間隙１３３を挟み、保持部１３１から周方向に離れた位置に設けられている。この実施形態では、ストッパ１３４は、ボス１２０の内筒部１２３の内周面において、軸方向に延びた壁である。
【００４２】
この実施形態では、図１０に示すように、周方向において、複数の突部５１２がストッパ１３４に当たる位置に軸部５１１を回すと、突部５１２の位置が、間隙１３３に合わせられる。突部５１２の位置が間隙１３３に合わせられた状態では、軸部５１１をボス１２０に対して軸方向に動かすことができる。そして、ボス１２０から突出した軸部５１１の長さを調整する。ボス１２０から突出した軸部５１１の長さを調整した後、図８に示すように、周方向に軸部５１１を回し、複数の突部５１２を保持部１３１に保持させる。複数の突部５１２を保持部１３１に保持させることによって、軸部５１１が軸方向に保持される。この状態で、脚固定部材６２０が溝５１３に装着されると、軸部５１１の回転が規制され、ボス１２０から突出した軸部５１１の長さに固定される。このように、この実施形態では、軸部５１１は、係合部５２０として、軸部５１１の外周面において、軸方向に間隔を空けて設けられた複数の突部５１２と、軸部５１１の軸方向に沿って形成された溝５１３とを有している。
【００４３】
また、この実施形態では、軸部５１１の上縁には、外径方向に突出した出っ張り５１６があり、櫛歯を構成する複数の突部５１２の下側には、外径方向に突出した突起５１７がある。突起５１７は、軸部５１１がボス１２０に装着された状態において、ボス１２０の下端の内径よりも外方に突出している。かかる突起５１７がストッパとなるため、軸部５１１がボス１２０に対して必要以上に深く挿入されない。
【００４４】
《脚固定部材６２０》
脚固定部材６２０は、図８に示すように、貫通孔１３２を通じてボス１２０の内方に差し込まれて係合部５２０に係合する部材である。そして、脚固定部材６２０は、少なくとも係合部５２０に係合していない状態では、ボス１２０の外方に突出する。この実施形態では、脚固定部材６２０は、ボス１２０の貫通孔１３２を通じて、軸部５１１の溝５１３に差し込まれる部材である。
【００４５】
図１１は、脚固定部材６２０が、ボス１２０の貫通孔１３２を通じて、軸部５１１の溝５１３に差し込まれた状態を示す縦断側面図である。図１２は、脚固定部材６２０が軸部５１１の溝５１３から引き抜かれた状態を示している。この実施形態では、図１１に示すように、脚固定部材６２０は、基端部６２１と、挿入部６２２、６２３と、第１抜止部６２４、６２５と、第２抜止部６２６、６２７と、係止部６２８、６２９とを備えている。
【００４６】
ここで、基端部６２１は、ボス１２０の外径側に突出した端部に設けられている。挿入部６２２、６２３は、基端部６２１から延びた棒状の部位であり、挿入部６２２、６２３の先端は、貫通孔１３２を通じて軸部５１１の溝５１３に挿入される。この実施形態では、挿入部６２２、６２３は、基端部６２１の上下両端（ボス１２０に対しては軸方向の両端）から上下方向（ボス１２０に対しては軸方向）に対向するように延びている。
【００４７】
第１抜止部６２４、６２５は、挿入部６２２、６２３の先端に設けられている。当該第１抜止部６２４、６２５は、脚固定部材６２０の自然状態（変形していない状態）において、ボス１２０の貫通孔１３２のうち、内筒部１２３の貫通孔１３２ａには収まる。また、第１抜止部６２４、６２５の上下方向（ボス１２０に対しては軸方向）の幅は、脚固定部材６２０の自然状態（変形していない状態）において、外筒部１２１の貫通孔１３２ｂには挿通できないように設定されている。
【００４８】
第２抜止部６２６、６２７は、挿入部６２２、６２３の中間部において外側面に設けられた突起である。第２抜止部６２６、６２７は、図１１に示すように、挿入部６２２、６２３が軸部５１１の溝５１３に挿入された場合に、ボス１２０の外筒部１２１の貫通孔１３２ｂの内側に入り込む位置に設けられている。脚固定部材６２０の自然状態では、第２抜止部６２６、６２７は、挿入部６２２、６２３の外側面において、当該外筒部１２１の貫通孔１３２ｂよりも幅広に突出している。この実施形態では、第２抜止部６２６、６２７は、挿入部６２２、６２３の先端側から基端部６２１側へ向けて徐々に外方へ突出したテーパ状の突起である。
【００４９】
係止部６２８、６２９は、第１抜止部６２４、６２５と第２抜止部６２６、６２７との間で、挿入部６２２、６２３から外方に突出した部位である。脚固定部材６２０の自然状態では、挿入部６２２、６２３は、外筒部１２１の貫通孔１３２ｂよりも幅広で、内筒部１２３の貫通孔１３２ａよりも幅が狭い。この実施形態では、係止部６２８、６２９は、挿入部６２２、６２３の先端側から基端部６２１側へ向けて徐々に外方へ突出したテーパ状の突起である。
【００５０】
脚固定部材６２０は、弾性変形域で、挿入部６２２、６２３の間隔が狭められる。挿入部６２２、６２３の間隔を狭めることによって、第１抜止部６２４、６２５は、外筒部１２１の貫通孔１３２ｂおよび内筒部１２３の貫通孔１３２ａに通すことができる。また、挿入部６２２、６２３の間隔を狭めることによって、係止部６２８、６２９および第２抜止部６２６、６２７は、外筒部１２１の貫通孔１３２ｂに通すことができる。
【００５１】
脚固定部材６２０の第１抜止部６２４、６２５は、図１２に示すように、ボス１２０の外方から内方へ向けて、外筒部１２１の貫通孔１３２ｂに通されている。この際、係止部６２８、６２９は、外筒部１２１の貫通孔１３２ｂの外側に配置されており、脚固定部材６２０が、ボス１２０の内方にさらに進入するのを規制するストッパとして機能している。図１２に示す状態では、脚固定部材６２０の第１抜止部６２４、６２５は、外筒部１２１の貫通孔１３２ｂに通されているが、係止部６２８、６２９は、外筒部１２１の貫通孔１３２ｂの外側に配置されている。この状態では、図１０および図１２に示すように、挿入部６２２、６２３の先端は、ボス１２０の内筒部１２３の内側に差し込まれていない。このため、脚固定部材６２０は、軸部５１１がボス１２０内で周方向に回動するのを規制しない。
【００５２】
図１１に示すように、脚固定部材６２０は、挿入部６２２、６２３の間隔を狭めることによって、係止部６２８、６２９および第２抜止部６２６、６２７を外筒部１２１の貫通孔１３２ｂの内側に侵入させることができる。例えば、図８および図１１に示すように、軸部５１１の溝５１３が、ボス１２０の貫通孔１３２に対向するように、ボス１２０に挿入された軸部５１１を回動させた場合、脚固定部材６２０の挿入部６２２、６２３の先端を、軸部５１１の溝５１３に差し込むことができる。脚固定部材６２０の挿入部６２２、６２３の先端が軸部５１１の溝５１３に差し込まれていると、脚固定部材６２０は、軸部５１１がボス１２０内での周方向の回動するのを規制する。
【００５３】
この実施形態では、図８に示すように、軸部５１１の溝５１３が、ボス１２０の貫通孔１３２に対向しているときには、軸部５１１の複数の突部５１２が、ボス１２０の保持部１３１に装着された状態である。このため、突部５１２と保持部１３１との係合によって、軸部５１１は、ボス１２０に対して軸方向への動きが規制される。このように、脚固定部材６２０の挿入部６２２、６２３の先端が軸部５１１の溝５１３に差し込まれていることによって、脚５０１〜５０４が便器本体１００に固定されている。
【００５４】
このように、この実施形態では、脚固定部材６２０が軸部５１１の係合部５２０に係合した状態では、軸部５１１の複数の突部５１２が保持部１３１に装着された状態においてボス１２０の貫通孔１３２を通じて、軸部５１１の溝５１３に差し込まれている。
【００５５】
《固定確認部材６４０》
固定確認部材６４０は、便器本体１００の被取付部１２７に取り付けられる取付部６４１と、干渉部６４２とを備えている。この実施形態では、固定確認部材６４０は、ボス１２０の外側に取り付けられて、ボス１２０および脚固定部材６２０を覆うカバーである。具体的には、この実施形態では、複数のボス１２０が、便器本体１００の底部１０４の前後左右の隅部に設けられている。固定確認部材６４０は、図５に示すように、便器本体１００の底部１０４において、ボス１２０の周りに装着されている。
【００５６】
固定確認部材６４０は、図６および図８に示すように、便器本体１００の底部１０４の隅部に応じた形状を有している。固定確認部材６４０の取付部６４１は、便器本体１００の底部１０４の被取付部１２７に対応して設けられた爪６４５である。爪６４５は、被取付部１２７の孔１２７ａに挿通され、係止片１２７ｂに引っ掛けられる。当該爪６４５を便器本体１００の底部１０４の被取付部１２７に引っ掛けることによって、固定確認部材６４０は、便器本体１００の底部１０４の予め定められた位置に取り付けられる。
【００５７】
固定確認部材６４０の側面６４３は、図５に示すように、固定確認部材６４０が便器本体１００の底部１０４の予め定められた位置に取り付けられている場合には、便器本体１００の側面部１１３と一連に連なる。これにより、ボス１２０が外部に露出せず、便器本体１００の美観がよくなる。また、固定確認部材６４０が便器本体１００の底部１０４の予め定められた位置に取り付けられていない場合には、固定確認部材６４０の側面６４３が、便器本体１００の側面部１１３からずれる。このため、固定確認部材６４０が便器本体１００の底部１０４の予め定められた位置に取り付けられていないことが一目で分かり、固定確認部材６４０が便器本体１００に適切に取り付けられていないことが判別しやすい。
【００５８】
ここで、脚固定部材６２０が軸部５１１の溝５１３に対して差し込まれた状態では、固定確認部材６４０は、脚固定部材６２０に干渉せずに、便器本体１００に取り付けられる。これに対して、軸部５１１の溝５１３に脚固定部材６２０が十分に差し込まれていない状態では、便器本体１００に取り付けられる際に脚固定部材６２０に干渉部６４２が干渉する。このため、固定確認部材６４０は、便器本体１００に取り付けられない。
【００５９】
この実施形態では、固定確認部材６４０が便器本体１００に取り付けられている場合には、軸部５１１の溝５１３に脚固定部材６２０が差し込まれた状態である。したがって、固定確認部材６４０が便器本体１００に取り付けられているか否かを確認することによって、脚固定部材６２０が軸部５１１の溝５１３に差し込まれていない可能性があることが分かる。このため、脚固定部材６２０が軸部５１１の溝５１３に差し込まれていない可能性があることを使用者に注意を喚起できる。これにより、脚固定部材６２０が軸部５１１の溝５１３に十分に差し込まれていない状態で使用者がポータブルトイレ１０に座ることを防ぐことができる。
【００６０】
また、この実施形態では、固定確認部材６４０の側面６４３は、図５に示すように、固定確認部材６４０が便器本体１００の底部１０４の予め定められた位置に取り付けられている場合には、便器本体１００の側面部１１３と一連に連なる。このため、固定確認部材６４０が便器本体１００の底部１０４の予め定められた位置に取り付けられていない場合には、固定確認部材６４０の側面６４３が、便器本体１００の側面部１１３からずれる。このため、固定確認部材６４０が便器本体１００の底部１０４の予め定められた位置に取り付けられていないことが分かりやすくなる。
【００６１】
以上のように、このポータブルトイレ１０は、図１および図６に示すように、便器本体１００と、脚５０１〜５０４と、脚固定部材６２０と、固定確認部材６４０とを備えている。ここで、便器本体１００は、貫通孔１３２が形成された複数のボス１２０と、固定確認部材６４０を予め定められた位置に取り付ける被取付部１２７（図８参照）とを備えている。脚５０１〜５０４は、ボス１２０に装着された軸部５１１と、軸部５１１に設けられた係合部５２０とを有している。
【００６２】
脚固定部材６２０は、図８および図１１に示すように、貫通孔１３２を通じてボス１２０の内方に差し込まれて係合部５２０に係合する部材である。脚固定部材６２０は、図１２に示すように、係合部５２０に係合していない状態では、係合部５２０に係合している状態よりも、ボス１２０の外方に大きく突出する。固定確認部材６４０は、取付部６４１と、干渉部６４２とを有している。取付部６４１は、便器本体１００の被取付部１２７に取り付けられる部位である。干渉部６４２は、便器本体１００に取り付けられた際に、脚固定部材６２０が軸部５１１の係合部５２０に係合した状態では脚固定部材６２０に干渉しないが、脚固定部材６２０が軸部５１１の係合部５２０に係合していない状態では脚固定部材６２０に干渉する部位である。
【００６３】
このポータブルトイレ１０では、脚固定部材６２０が軸部５１１の係合部５２０に係合していない状態では、干渉部６４２が脚固定部材６２０に干渉するので、固定確認部材６４０が、便器本体１００に取り付けられない。このため、脚固定部材６２０が軸部５１１の係合部５２０に係合していないことが、使用者において判別されやすい。
【００６４】
例えば、係合部５２０は、図７に示すように、軸部５１１の外周面において、軸方向に間隔を空けて設けられた複数の突部５１２と、軸部５１１の軸方向に沿って形成された溝５１３とを有していてもよい。この場合、図８に示すように、ボス１２０は、軸部５１１の複数の突部５１２を周方向に装着したり、離脱したりでき、かつ、軸部５１１の複数の突部５１２が装着された状態では軸部５１１の複数の突部５１２を軸方向に保持する保持部１３１を有しているとよい。また、貫通孔１３２は、軸部５１１の複数の突部５１２が保持部１３１に装着された状態において、軸部５１１の溝５１３が対向する部位に形成されているとよい。
【００６５】
脚固定部材６２０が軸部５１１の係合部５２０に係合した状態では、軸部５１１の複数の突部５１２が保持部１３１に装着され、かつ、脚固定部材６２０が、ボス１２０の貫通孔１３２を通じて軸部５１１の溝５１３に差し込まれているとよい。この係合構造では、軸部５１１の軸方向の固定と、周方向の固定との両方を実現できる。そして、軸部５１１の外周面において、軸方向に間隔を空けて設けられた複数の突部５１２のうち、何れの突部５１２を保持部１３１に保持させるかによって、ボス１２０から突出する軸部５１１の長さを調整できる。
【００６６】
固定確認部材６４０は、図１および図５に示すように、ボス１２０の外側に取り付けられて脚固定部材６２０を覆うカバーであってもよい。
【００６７】
この場合、ボス１２０は、例えば、便器本体１００の底部の前後左右の隅部に設けられていてもよい。そして、固定確認部材６４０は、ボス１２０の外側に取り付けられた状態において、便器本体１００の側面部１１３と一連に連なった側面を備えているとよい。この場合、固定確認部材６４０が適切に取り付けられていない場合には、固定確認部材６４０の側面６４３が便器本体１００の側面部１１３からずれる。このため、固定確認部材６４０が適切に取り付けられていないことが判別しやすい。
【００６８】
このように、このポータブルトイレ１０では、脚固定部材６２０が軸部５１１の係合部５２０に適切に取り付けられていない場合に、固定確認部材６４０が適切に取り付けられない状態となり、使用者に注意喚起が行える。これにより、脚固定部材６２０が軸部５１１の係合部５２０に適切に取り付けられていない状態で、ポータブルトイレ１０が使用されるのを抑制できる。
【００６９】
以上、ここで提案されるポータブルトイレの実施の一形態を説明したが、ここで提案されるポータブルトイレは、上述した実施の形態に限定されない。
【００７０】
例えば、便器本体１００、ボス１２０、軸部５１１、脚固定部材６２０、固定確認部材６４０などの、具体的な構造は、上述した実施形態に限定されない。例えば、ボス１２０と軸部５１１との係合構造は、上述した実施形態に限定されない。また、便器本体１００の内部や、ボス１２０の周りなどには、適当にリブがもうけられていてもよい。また、ボス１２０に設けられる保持部１３１は、上述した実施形態に限定されない。例えば、保持部１３１は、周方向に延びた突条を、軸方向に間隔を空けて複数配置した構造とし、当該複数の突条が、脚５０１〜５０４の軸部５１１の複数の突部５１２に噛み合う構造としてもよい。この場合、図示は省略するが、ボス１２０には、周方向に半割構造の内筒を固定的に取り付ける構造とし、当該内筒の内周面に保持部１３１を設けてもよい。
【産業上の利用可能性】
【００７１】
本発明は、上述したようにポータブルトイレを提供するものであり、産業上利用可能である。 
【符号の説明】
【００７２】
１０  ポータブルトイレ
１００  便器本体
１０１  収容部
１０２  上面部
１０３  外郭部
１０４  底部
１０４ａ  開口
１１２、１１３  側面部
１２０  ボス
１２１  外筒部
１２２  下縁部
１２３  内筒部
１２５  リブ
１２６  リブ
１２７  被取付部
１２７ａ  孔
１２７ｂ  係止片
１３１  保持部
１３２  貫通孔
１３２ａ  内筒部１２３の貫通孔
１３２ｂ  外筒部１２１の貫通孔
１３３  間隙
１３４  ストッパ
２１０  上側部材
２１１、２１２  肘掛取付部
２１３、２１４  背もたれ取付部
２１５  脱臭装置取付部
２２０  下側部材
５０１〜５０４  脚
５０２ａ、５０４ａ  キャスター
５１１  軸部
５１２  突部
５１３  溝
５２０  係合部
６２０  脚固定部材
６２１  基端部
６２２、６２３  挿入部
６２４、６２５  抜止部
６２６、６２７  抜止部
６２８、６２９  係止部
６４０  固定確認部材
６４１  取付部
６４２  干渉部
６４３  側面
６４５  爪
７５０  脱臭装置
【図１】
2016123607.tif 000003
【図２】
2016123607.tif 000004
【図３】
2016123607.tif 000005
【図４】
2016123607.tif 000006
【図５】
2016123607.tif 000007
【図６】
2016123607.tif 000008
【図７】
2016123607.tif 000009
【図８】
2016123607.tif 000010
【図９】
2016123607.tif 000011
【図１０】
2016123607.tif 000012
【図１１】
2016123607.tif 000013
【図１２】
2016123607.tif 000014